【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
液体を吐出するための吐出口と、液体を吐出するために利用されるエネルギーを発生するエネルギー発生素子が配される流路と、前記吐出口と前記流路とを連通する吐出口部と、外部から前記流路に液体を流入させるため供給流路と、前記流路から外部へ液体を流出させるための流出流路と、を備える液体吐出ヘッドであって、
前記流路と前記吐出口部との連通部の、前記流路内の液体の流れ方向に関する上流側での前記流路の高さをＨμｍ、
前記吐出口から液体が吐出される方向における前記吐出口部の長さをＰμｍ、
前記流路内の液体の流れ方向における前記吐出口部の長さをＷμｍ、
とした場合に、
Ｈ-0.34×Ｐ-0.66×Ｗ＞１．７
を満たすことを特徴とする液体吐出ヘッド。
【請求項２】
前記Ｈが２０以下、前記Ｐが２０以下、前記Ｗが３０以下、である請求項１に記載の液体吐出ヘッド。
【請求項３】
前記流路を流れる液体の粘度が３０ｃＰ以下で、液体の流れの速さが０．１〜１００ｍｍ／ｓである請求項１または２に記載の液体吐出ヘッド。
【請求項４】
前記流路の高さは、前記流路と前記供給流路との連通部における前記流路の高さより低い請求項１乃至３のいずれかに記載の液体吐出ヘッド。
【請求項５】
前記吐出口が形成されるオリフィスプレートを備え、前記吐出口の近傍における前記オリフィスプレートの厚みは、前記流路と前記供給流路との連通部における前記オリフィスプレートの厚みより薄い請求項１乃至３のいずれかに記載の液体吐出ヘッド。
【請求項６】
前記吐出口が形成されるオリフィスプレートを備え、前記オリフィスプレートには凹部が形成されており、前記吐出口は前記凹部内に形成されている請求項１乃至５のいずれかに記載の液体吐出ヘッド。
【請求項７】
前記吐出口には液体のメニスカスが形成される請求項１乃至６のいずれかに記載の液体吐出ヘッド。
【請求項８】
前記Ｈが１４以下、前記Ｐが１２以下、前記Ｗが１７以上３０以下であり、前記流路の液体の流速は前記吐出口からの蒸発速度の９００倍以上である請求項１乃至７のいずれかに記載の液体吐出ヘッド。
【請求項９】
前記Ｈが１５以下、前記Ｐが７以下、前記Ｗが１７以上３０以下であり、前記流路の液体の流速は前記吐出口からの蒸発速度の１００倍以上である請求項１乃至７のいずれかに記載の液体吐出ヘッド。
【請求項１０】
前記Ｈが８以下、前記Ｐが８以下、前記Ｗが１７以上３０以下であり、前記流路の液体の流速は前記吐出口からの蒸発速度の５０倍以上である請求項１乃至７のいずれかに記載の液体吐出ヘッド。
【請求項１１】
前記Ｈが３以上６以下、前記Ｐが３以上６以下、前記Ｗが１７以上３０以下であり、前記流路の液体の流速は前記吐出口からの蒸発速度の２７倍以上である請求項１乃至７のいずれかに記載の液体吐出ヘッド。
【請求項１２】
液体を吐出するための吐出口と、液体を吐出するために利用されるエネルギーを発生するエネルギー発生素子が配される流路と、前記吐出口と前記流路とを連通する吐出口部と、外部から前記流路に液体を流入させるための供給流路と、前記流路から外部へ液体を流出させるための流出流路と、を備える液体吐出ヘッドにおける液体の供給方法であって、
液体を、前記供給流路を介して外部から前記流路に流入させ、前記流路から前記流出流路を介して外部に流出させる供給が行われている際に、前記流路から前記吐出口部内に流入した液体が、前記吐出口に形成された液体のメニスカス位置まで達した後に、前記流路に戻る液体の流れが生成されることを特徴とする液体の供給方法。
【請求項１３】
前記流路と前記吐出口部との連通部の、前記流路内の液体の流れ方向に関する上流側での前記流路の高さをＨμｍ、
前記吐出口から液体が吐出される方向における前記吐出口部の長さをＰμｍ、
前記流路内の液体の流れ方向に関する前記吐出口部の長さをＷμｍ、
とした場合に、
Ｈ-0.34×Ｐ-0.66×Ｗ＞１．７
を満たすことを特徴とする請求項１２に記載の液体の供給方法。
【請求項１４】
前記Ｈが１４以下、前記Ｐが１２以下、前記Ｗが１７以上３０以下であり、前記流路の流速は前記吐出口からの蒸発速度の９００倍以上である請求項１３に記載の液体の供給方法。
【請求項１５】
前記Ｈが８以下、前記Ｐが８以下、前記Ｗが１７以上３０以下であり、前記流路の流速は前記吐出口からの蒸発速度の５０倍以上である請求項１３に記載の液体の供給方法。
【請求項１６】
液体を吐出するための吐出口と、液体を吐出するために利用されるエネルギーを発生するエネルギー発生素子が配される流路と、前記吐出口と前記流路とを連通する吐出口部と、外部から前記流路に液体を流入させるための供給流路と、前記流路から外部へ液体を流出させるための流出流路と、を備える液体吐出ヘッドと、
液体を、前記供給流路を介して外部から前記流路に流入させ、前記流路から前記流出流路を介して外部に流出させるための供給手段と、
を備える液体吐出装置であって、
前記流路と前記吐出口部との連通部の、前記流路内の液体の流れ方向に関する上流側での前記流路の高さをＨμｍ、
前記吐出口から液体が吐出される方向における前記吐出口部の長さをＰμｍ、
前記流路内の液体の流れ方向に関する前記吐出口部の長さをＷμｍ、
とした場合に、
Ｈ-0.34×Ｐ-0.66×Ｗ＞１．７
を満たすことを特徴とする液体吐出装置。 
【請求項１７】
前記Ｈが１４以下、前記Ｐが１２以下、前記Ｗが１７以上３０以下であり、前記流路の流速は前記吐出口からの蒸発速度の９００倍以上である請求項１６に記載の液体吐出装置。
【請求項１８】
前記Ｈが８以下、前記Ｐが８以下、前記Ｗが１７以上３０以下であり、前記流路の流速は前記吐出口からの蒸発速度の５０倍以上である請求項１６に記載の液体吐出装置。
【請求項１９】
前記供給手段は、前記液体吐出ヘッドに対して、液体を、前記供給流路を介して外部から前記流路に流入させ、前記流路から前記流出流路を介して外部に流出させる、液体の循環を行う請求項１６乃至１８のいずれかに記載の液体吐出装置。
【請求項２０】
液体を吐出する吐出口を備えるオリフィスプレートと、当該オリフィスプレートとの間に、一端側から他端側に液体を供給する流路が形成される基板とを備え、前記吐出口は前記流路の一端側と他端側との間に形成される液体吐出ヘッドであって、
前記吐出口と前記流路とを連通する吐出口部と、前記流路との連通部の前記一端側における前記流路の高さをＨμｍ、
前記吐出口から液体が吐出される方向における前記吐出口部の長さをＰμｍ、
前記一端側から前記他端側に向かう方向における前記吐出口部の長さをＷμｍ、
とした場合に、
Ｈ-0.34×Ｐ-0.66×Ｗ＞１．７
を満たすことを特徴とする液体吐出ヘッド。 
【請求項２１】
外部から液体を流入させるための供給流路と、外部へ液体を流出させるための流出流路と、を備える請求項２０に記載の液体吐出ヘッド。
【請求項２２】
前記Ｈが１５以下、前記Ｐが７以下、前記Ｗが１７以上３０以下であり、前記流路の流速は前記吐出口からの蒸発速度の１００倍以上である請求項２０または２１に記載の液体吐出ヘッド。
【請求項２３】
液体を吐出するための吐出口と、
液体を吐出するために利用されるエネルギーを発生するエネルギー発生素子が配される流路と、
前記吐出口と前記流路とを連通する吐出口部と、
外部から前記流路に液体を流入させるための供給流路と、
前記流路から外部へ液体を流出させるための流出流路と、
を備える液体吐出ヘッドであって、
前記流路と前記吐出口部との連通部の、前記流路内の液体の流れ方向に関する上流側での前記流路の高さをＨμｍ、
前記吐出口から液体が吐出される方向における前記吐出口部の長さをＰμｍ、
前記流路内の液体の流れ方向に関する前記吐出口部の長さをＷμｍ、
前記吐出口部の内接円の有効径をＺμｍ、
とした場合に、
Ｈ-0.34×Ｐ-0.66×Ｗ＞１．７、かつ０．３５０×Ｈ＋０．２２７×Ｐ―０．１００×Ｚ＞４
を満たすことを特徴とする液体吐出ヘッド。
【請求項２４】
前記液体の固形分量が８ｗｔ％以上である請求項２０乃至２３のいずれかに記載の液体吐出ヘッド。
【請求項２５】
液体を吐出するための吐出口と、液体を吐出するために利用されるエネルギーを発生するエネルギー発生素子が配される流路と、前記吐出口と前記流路とを連通する吐出口部と、外部から前記流路に液体を流入させるため供給流路と、前記流路から外部へ液体を流出させるための流出流路と、を備える液体吐出ヘッドであって、
前記流路と前記吐出口部との連通部の、前記流路内の液体の流れ方向に関する上流側での前記流路の高さをＨμｍ、
前記吐出口から液体が吐出される方向における前記吐出口部の長さをＰμｍ、
前記流路内の液体の流れ方向における前記吐出口部の長さをＷμｍ、
とした場合に、
Ｈ-0.34×Ｐ-0.66×Ｗ＞１．５
を満たすことを特徴とする液体吐出ヘッド。
【請求項２６】
液体を吐出するための吐出口と、液体を吐出するために利用されるエネルギーを発生するエネルギー発生素子が配される流路と、前記吐出口と前記流路とを連通する吐出口部と、外部から前記流路に液体を流入させるための供給流路と、前記流路から外部へ液体を流出させるための流出流路と、を備える液体吐出ヘッドにおける液体の供給方法であって、
液体を、前記供給流路を介して外部から前記流路に流入させ、前記流路から前記流出流路を介して外部に流出させる供給が行われている際に、前記流路から前記吐出口部内に流入した液体が、前記吐出口部内の液体が吐出される方向に関して、当該吐出口部内の少なくとも１／２の位置まで達した後に、前記流路に戻る液体の流れが生成されることを特徴とする液体の供給方法。
【請求項２７】
前記流路は前記エネルギー発生素子を内部に備える圧力室を含み、当該圧力室内の液体は前記供給流路および前記流出流路を介して外部との間で循環される請求項２６に記載の液体の供給方法。
【請求項２８】
前記エネルギー発生素子を内部に備える圧力室を備え、前記圧力室内の液体は前記圧力室の外部との間で循環される請求項２５に記載の液体吐出ヘッド。
【請求項２９】
前記エネルギー発生素子は発熱素子であり、エネルギー発生素子の加熱により生じる気泡が、前記吐出口を介して大気と連通する請求項２６または２７に記載の液体の供給方法。
【請求項３０】
前記エネルギー発生素子を内部に備える圧力室を備え、前記圧力室内の液体は前記圧力室の外部との間で循環される請求項１乃至１１のいずれか１項に記載の液体吐出ヘッド。
【手続補正２】
【補正対象書類名】明細書
【補正対象項目名】０００６
【補正方法】変更
【補正の内容】
【０００６】
上記課題を解決するために本発明は、液体を吐出するための吐出口と、液体を吐出するために利用されるエネルギーを発生するエネルギー発生素子が配される流路と、前記吐出口と前記流路とを連通する吐出口部と、外部から前記流路に液体を流入させるため供給流路と、前記流路から外部へ液体を流出させるための流出流路と、を備える液体吐出ヘッドであって、前記流路と前記吐出口部との連通部の、前記流路内の液体の流れ方向に関する上流側での前記流路の高さをＨμｍ、前記吐出口から液体が吐出される方向における前記吐出口部の長さをＰμｍ、前記流路内の液体の流れ方向における前記吐出口部の長さをＷμｍ、とした場合に、
Ｈ-0.34×Ｐ-0.66×Ｗ＞１．７
を満たすことを特徴とする。